(57)【特許請求の範囲】
【請求項１】
開口枠に開閉移動可能に配設された開閉体の移動経路に、構成要素が進出移動して進出姿勢となることで閉移動する開閉体に当接した場合、該開閉体がそれ以上閉移動することを規制するストッパ装置において、
前記開口枠あるいは該開口枠近傍に配設された本体カバーに、前記開閉体の移動経路に進退移動するよう回動可能に設けられた前記構成要素であるストッパ部材と、
前記ストッパ部材と前記本体カバーとの間に介在し、前記ストッパ部材が前記開閉体の移動経路から退行移動して退行姿勢となることを許容する一方、少なくとも前記ストッパ部材が前記退行姿勢からある程度進出移動する場合には、前記ストッパ部材を進出移動するよう付勢することで該ストッパ部材を前記進出姿勢にさせる付勢手段と、
前記本体カバーに回動可能に配設され、前記ストッパ部材が退行移動して退行姿勢となる場合には、基端部が退行移動する前記ストッパ部材に当接されることで先端部が前記開閉体の移動経路に進出した姿勢となる一方、閉移動する前記開閉体により先端部が当接される場合には、基端部が退行姿勢となる前記ストッパ部材に当接して該ストッパ部材を前記付勢手段により進出移動するよう付勢されるまで押し出す解除部材と
を備えたことを特徴とするストッパ装置。
【請求項２】
前記付勢手段は、前記ストッパ部材の姿勢に関わらず該ストッパ部材を進出移動するよう常時付勢し、
前記ストッパ部材は、前記付勢手段の付勢力に抗して退行移動する場合には、該ストッパ部材に形成された突部が前記本体カバーに設けられた凹部に進入することで該本体カバーに係止して前記退行姿勢となり、
前記解除部材は、閉移動する前記開閉体により先端部が当接される場合には、基端部が退行姿勢となる前記ストッパ部材に当接して、前記突部が前記凹部から離脱するまで該ストッパ部材を押し出すことを特徴とする請求項１に記載のストッパ装置。
【請求項３】
前記ストッパ部材は、
前記進出姿勢となることで閉移動する前記開閉体に当接可能な個所に配設された開閉体側当接部と、
前記開閉体側当接部に前記開閉体が当接する場合に前記開口枠に当接する開口枠側当接部と
を備えたことを特徴とする請求項１又は請求項２に記載のストッパ装置。
【請求項４】
前記ストッパ部材は、前記開閉体側当接部の端面から前記開口枠側当接部の端面に至る見付け方向の寸法が前記本体カバーの見付け方向の寸法以上となるよう形成され、
前記本体カバーは、スペーサを介して前記開口枠あるいは該開口枠近傍に配設され、
前記スペーサは、見付け方向の寸法が、前記開口枠の見込み面から見付け方向に突出して形成される縦ヒレ部の見付け方向の寸法よりも大きく形成されていることを特徴とする請求項３に記載のストッパ装置。
【請求項５】
開口枠及びこの開口枠に対して開閉移動可能に設けられた開閉体とを備えた建具において、請求項１〜４のいずれか１つに記載のストッパ装置を備えたことを特徴とする建具。
【請求項６】
前記開口枠は、前記進出姿勢となる前記ストッパ部材と当接可能な個所に配設され、かつ該ストッパ部材が閉移動する開閉体と当接する場合に該ストッパ部材と当接する開口枠側受部材を備えることを特徴とする請求項５に記載の建具。
【請求項７】
前記開閉体は、前記進出姿勢となる前記ストッパ部材と当接可能な個所に配設され、かつ閉移動する場合に該ストッパ部材と当接する開閉体側受部材を備えることを特徴とする請求項５又は請求項６に記載の建具。
【発明の詳細な説明】
【技術分野】
【０００１】
本発明は、ストッパ装置及び建具に関するものである。
【背景技術】
【０００２】
従来、建物の開口部に設置される開口枠に対してスライド移動可能に配設された障子（開閉体）を備えた建具として、ストッパ装置を備えたものが知られている。このストッパ装置は、開口枠、あるいは建物の開口部近傍となる開口枠近傍に配設され、ストッパ部材、係止部材及び解除部材を備えて構成されている。
【０００３】
ストッパ部材は、障子の開閉移動経路に進退移動するよう開口枠の見込み方向に沿ってスライド移動可能に本体ケースに設けられている。このストッパ部材は、付勢手段であるストッパバネにより常時進出移動するよう付勢されている。係止部材は、本体ケースに設けられており、ストッパ部材がストッパバネの付勢力に抗して手動により退行移動される場合に、該ストッパ部材を上記開閉移動経路から退行した退行姿勢に係止するものである。解除部材は、上記係止部材に接した状態でストッパ部材の先端面より上記開閉移動経路に進退移動可能に配設されており、上記係止部材を付勢する係止バネに付勢されてストッパ部材の先端面から突出している。
【０００４】
このようなストッパ装置を備えた建具においては、障子を開移動させた状態でストッパ部材が手動にてストッパバネの付勢力に抗して退行移動して係止部材を介して退行姿勢に係止されるとリセット状態となる。かかるリセット状態においてはストッパ部材の先端面より解除部材が係止バネに付勢されて突出しており、障子の開閉移動経路に進出している。このようなリセット状態において障子を閉移動させると、解除部材が閉移動する障子に当接されることで係止バネの付勢力に抗して開閉移動経路から退行移動し、この解除部材の退行移動に伴って係止部材も変位することでストッパ部材の退行姿勢の係止を解除する。これによりストッパ部材は、ストッパバネに付勢されて開閉移動経路に向けて進出移動することでセット状態となる。このとき、ストッパ部材の先端は閉移動した障子に当接している。そして、障子を再び開移動させることで該障子との当接状態が解除されたストッパ部材は、ストッパバネの付勢力により開閉移動経路に進出する。これにより、障子を再び閉移動させてもストッパ部材が障子と当接することで障子がそれ以上閉移動することを規制することとなり、障子と開口枠との間に隙間を確保して手指等が挟まれることを防止することができる（例えば、特許文献１参照）。
【先行技術文献】
【特許文献】
【０００５】
【特許文献１】特開２００３−３１４１４０号公報
【発明の概要】
【発明が解決しようとする課題】
【０００６】
ところで、上述した特許文献１に提案されているストッパ装置では、構成するストッパ部材が開口枠の見込み方向に沿ってスライド移動可能に設けられているため、汎用性を確保する観点からストッパ部材が進出移動したときの進出量、すなわち本体ケースからの突出量を十分大きく確保した場合には、該ストッパ部材が退行姿勢となる場合に室内側若しくは室外側への突出量が大きくなり好ましくない。その一方、ストッパ部材が退行姿勢となる場合の室内側若しくは室外側への突出量を小さくすると、ストッパ部材が進出移動したときの進出量が十分に確保されない。そのため閉移動する障子の戸先部分の一部にしか当接できず、障子の閉移動の規制が十分に行えない可能性があるばかりか、障子自体に変形や損傷を与えてしまう虞れがあった。
【０００７】
また、上述した特許文献１に提案されているストッパ装置では、ストッパ部材を付勢する付勢手段（ストッパバネ）や解除部材を付勢する付勢手段（係止バネ）のように、少なくとも複数の付勢手段を必要としており、部品点数が過大なものであった。
【０００８】
本発明は、上記実情に鑑みて、部品点数を削減させてコストの低減化を図るとともに、汎用性を良好なものとしながら開閉体に損傷等を与えることなく開閉体の閉移動を良好に規制することができるストッパ装置及び建具を提供することを目的とする。
【課題を解決するための手段】
【０００９】
上記目的を達成するために、本発明の請求項１に係るストッパ装置は、開口枠に開閉移動可能に配設された開閉体の移動経路に、構成要素が進出移動して進出姿勢となることで閉移動する開閉体に当接した場合、該開閉体がそれ以上閉移動することを規制するストッパ装置において、前記開口枠あるいは該開口枠近傍に配設された本体カバーに、前記開閉体の移動経路に進退移動するよう回動可能に設けられた前記構成要素であるストッパ部材と、前記ストッパ部材と前記本体カバーとの間に介在し、前記ストッパ部材が前記開閉体の移動経路から退行移動して退行姿勢となることを許容する一方、少なくとも前記ストッパ部材が前記退行姿勢からある程度進出移動する場合には、前記ストッパ部材を進出移動するよう付勢することで該ストッパ部材を前記進出姿勢にさせる付勢手段と、前記本体カバーに回動可能に配設され、前記ストッパ部材が退行移動して退行姿勢となる場合には、基端部が退行移動する前記ストッパ部材に当接されることで先端部が前記開閉体の移動経路に進出した姿勢となる一方、閉移動する前記開閉体により先端部が当接される場合には、基端部が退行姿勢となる前記ストッパ部材に当接して該ストッパ部材を前記付勢手段により進出移動するよう付勢されるまで押し出す解除部材とを備えたことを特徴とする。
【００１０】
これによれば、ストッパ部材が開閉体の移動経路に進退移動するよう回動するので、ストッパ部材の長さを十分に確保することができ、見込み方向の長さが異なる種々の建具に適用することが可能になるとともに、開閉体の移動経路に対する進出量を十分に確保して閉移動する開閉体の戸先側の所定個所の見込み幅全体に当接することが可能になる。また、解除部材が、ストッパ部材が退行姿勢となる場合には、基端部が退行移動するストッパ部材に当接されることで先端部が開閉体の移動経路に進出した姿勢となる一方、閉移動する開閉体により先端部が当接される場合には、基端部が退行姿勢となるストッパ部材に当接して該ストッパ部材を付勢手段により進出移動するよう付勢されるまで押し出すので、ストッパ部材を付勢する付勢手段のみあれば足り、解除部材を付勢するような部材は不要であり、部品点数を削減させることが可能である。
【００１１】
また、本発明の請求項２に係るストッパ装置は、上述した請求項１において、前記付勢手段は、前記ストッパ部材の姿勢に関わらず該ストッパ部材を進出移動するよう常時付勢し、前記ストッパ部材は、前記付勢手段の付勢力に抗して退行移動する場合には、該ストッパ部材に形成された突部が前記本体カバーに設けられた凹部に進入することで該本体カバーに係止して前記退行姿勢となり、前記解除部材は、閉移動する前記開閉体により先端部が当接される場合には、基端部が退行姿勢となる前記ストッパ部材に当接して、前記突部が前記凹部から離脱するまで該ストッパ部材を押し出すことを特徴とする。
【００１２】
これによれば、閉移動する開閉体により先端部が当接される場合には、基端部が退行姿勢となるストッパ部材に当接して、突部が凹部から離脱するまで該ストッパ部材を押し出すので、ストッパ部材を付勢する付勢手段のみあれば足り、解除部材を付勢するような部材は不要であり、部品点数を削減させることが可能である。
【００１３】
また、本発明の請求項３に係るストッパ装置は、上述した請求項１又は請求項２において、前記ストッパ部材は、前記進出姿勢となることで閉移動する前記開閉体に当接可能な個所に配設された開閉体側当接部と、前記開閉体側当接部に前記開閉体が当接する場合に前記開口枠に当接する開口枠側当接部とを備えたことを特徴とする。
【００１４】
これによれば、閉移動する開閉体が開閉体側当接部に衝突して強い衝撃力が加わったとしても、ストッパ部材を通じて開口枠側当接部から衝撃力を開口枠側へと伝えることができるので、ストッパ装置が変形や破壊等により損傷してしまうことを抑制することができ、しかも部品点数を削減することができる。
【００１５】
また、本発明の請求項４に係るストッパ装置は、上述した請求項３において、前記ストッパ部材は、前記開閉体側当接部の端面から前記開口枠側当接部の端面に至る見付け方向の寸法が前記本体カバーの見付け方向の寸法以上となるよう形成され、前記本体カバーは、スペーサを介して前記開口枠あるいは該開口枠近傍に配設され、前記スペーサは、見付け方向の寸法が、前記開口枠の見込み面から見付け方向に突出して形成される縦ヒレ部の見付け方向の寸法よりも大きく形成されていることを特徴とする。
【００１６】
これによれば、寸法や開口枠の納まりが異なる場合、開口枠の形状や縦ヒレ部の見付け方向の寸法が異なるが、そのような場合においても、縦ヒレ部の見付け方向の寸法よりも大きいスペーサを介して本体カバーを取り付け、かつストッパ部材の開閉体側当接部の端面から開口枠側当接部の端面に至る見付け方向の寸法が本体カバーの見付け方向の寸法以上となるよう形成されていることで、ストッパ部材を縦ヒレ部に干渉させることなく進出移動及び退行移動することができ、これによりストッパ部材及び本体カバーを種々の開口枠において共通の形状とすることが可能である。また、開口枠形状や縦ヒレ部の見付け方向の寸法に応じて適切なスペーサを用いることで、種々の開口枠形状に対応するストッパ装置の提供が可能であり、部品点数を削減することができる。
【００１７】
また、本発明の請求項５に係る建具は、開口枠及びこの開口枠に対して開閉移動可能に設けられた開閉体とを備えた建具において、請求項１〜４のいずれか１つに記載のストッパ装置を備えたことを特徴とする。
【００１８】
これによれば、上述したストッパ装置を備えているので、ストッパ部材の長さを十分に確保することができ、見込み方向の長さが異なる種々の建具に適用することが可能になるとともに、開閉体の移動経路に対する進出量を十分に確保して閉移動する開閉体の戸先側の所定個所の見込み幅全体に当接することが可能になり、しかもストッパ部材を付勢する付勢手段のみあれば足り、解除部材を付勢するような部材は不要であり、部品点数を削減させることが可能である。
【００１９】
また、本発明の請求項６に係る建具は、上述した請求項５において、前記開口枠は、前記進出姿勢となる前記ストッパ部材と当接可能な個所に配設され、かつ該ストッパ部材が閉移動する開閉体と当接する場合に該ストッパ部材と当接する開口枠側受部材を備えることを特徴とする。
【００２０】
これによれば、閉移動する開閉体がストッパ装置に衝突することによる衝撃力がストッパ装置を介して与えられたとしても、かかる衝撃力が開口枠側受部材を通じて与えられることになるため、開口枠の変形等をより一層抑制することが可能である。
【００２１】
また、本発明の請求項７に係る建具は、上述した請求項５又は請求項６において、前記開閉体は、前記進出姿勢となる前記ストッパ部材と当接可能な個所に配設され、かつ閉移動する場合に該ストッパ部材と当接する開閉体側受部材を備えることを特徴とする。
【００２２】
これによれば、開閉体が閉移動してストッパ装置に衝突する場合に、開閉体側受部材を介してストッパ装置のストッパ部材に当接するため、開口枠及び開閉体の変形等をより一層抑制することが可能である。
【発明の効果】
【００２３】
本発明によれば、部品点数を削減させてコストの低減化を図るとともに、汎用性を良好なものとしながら開閉体に損傷等を与えることなく開閉体の閉移動を良好に規制することができるという効果を奏する。
【図面の簡単な説明】
【００２４】
【図１】図１は、本発明の実施の形態であるストッパ装置が適用された建具、すなわち本実施の形態である建具を室内側から見た場合を示す説明図である。
【図２】図２は、本発明の実施の形態であるストッパ装置が適用された建具を室内側から見た場合を示す説明図である。
【図３】図３は、図２に示した建具を上方から見た場合を示す横断面図である。
【図４】図４は、図１〜図３に示したストッパ装置（外障子用のストッパ装置）を分解して示す説明図である。
【図５】図５は、図１〜図４に示したストッパ装置の取付状態を室内側から見た場合を示す説明図である。
【図６】図６は、本発明の実施の形態であるストッパ装置の動作を説明するためのもので、（ａ）は右縦枠側から見た場合を示す説明図であり、（ｂ）は上方から見た場合を示す横断面図である。
【図７】図７は、本発明の実施の形態であるストッパ装置の動作を説明するためのもので、（ａ）は右縦枠側から見た場合を示す説明図であり、（ｂ）は上方から見た場合を示す横断面図である。
【図８】図８は、本発明の実施の形態であるストッパ装置の動作を説明するためのもので、（ａ）は右縦枠側から見た場合を示す説明図であり、（ｂ）は上方から見た場合を示す横断面図である。
【図９】図９は、本発明の実施の形態であるストッパ装置の動作を説明するためのもので、（ａ）は右縦枠側から見た場合を示す説明図であり、（ｂ）は上方から見た場合を示す横断面図である。
【図１０】図１０は、本発明の実施の形態である建具の変形例を上方から見た場合を示す横断面図である。
【図１１】図１１は、図１０に示したストッパ装置の取付状態を室内側から見た場合を示す説明図である。
【発明を実施するための形態】
【００２５】
以下に添付図面を参照して、本発明に係るストッパ装置及び建具の好適な実施の形態について詳細に説明する。
【００２６】
図１及び図２は、それぞれ本発明の実施の形態であるストッパ装置が適用された建具、すなわち本実施の形態である建具を室内側から見た場合を示す説明図であり、図３は、図２に示した建具を上方から見た場合を示す横断面図である。
【００２７】
ここで例示する建具は、例えばビル等の建物の開口部に設置される開口枠１０に対して２枚の障子（開閉体）２０がスライド移動可能に配設された、いわゆる引き違い窓と称されるものである。開口枠１０は、上枠１１、下枠１２及び一対の縦枠１３，１４を四周枠組みすることによって構成した矩形状を成すものである。障子２０は、それぞれ上框２１、下框２２及び一対の縦框２３，２４を四周框組みし、かつこれら上框２１、下框２２及び一対の縦框２３，２４の間にガラス板等のパネル材２５が配設されることによって構成されたものである。
【００２８】
このような建具においては、開口枠１０に対して障子２０を施解錠する錠装置の他、ストッパ装置３０、枠側受部材（開口枠側受部材）４０及び障子側受部材（開閉体側受部材）４１が設けられている。ここで錠装置は、従来公知のものであるのでその説明については割愛する。
【００２９】
ストッパ装置３０は、複数（図示の例では２つ）設けられており、開口枠１０を構成する縦枠１３，１４にそれぞれ配設されている。より詳細には、左縦枠１３には外障子用のストッパ装置３０が配設されており、右縦枠１４には内障子用のストッパ装置３０が配設されており、それぞれが室内の床面より上方に例えば１５０ｃｍ以上離れた個所に設置されている。これらストッパ装置３０は、同様の構成を有するものであるため、以下においては外障子用のストッパ装置３０について説明し、内障子用のストッパ装置３０についての説明は割愛する。
【００３０】
図４は、図１〜図３に示したストッパ装置（外障子用のストッパ装置）を分解して示す説明図であり、図５は、図１〜図４に示したストッパ装置の取付状態を室内側から見た場合を示す説明図である。ここで例示するストッパ装置３０は、本体カバー３１と、ストッパ（ストッパ部材）３２と、トリガー（解除部材）３３とを備えて構成されている。
【００３１】
本体カバー３１は、例えばポリオキシメチレン（ＰＯＭ）等の樹脂材を成形したもので、前面及び下面が開放した略直方状の形態を成している。尚、前面とは、外障子２０用のストッパ装置３０における本体カバー３１では、室外側面を示し、内障子２０用のストッパ装置３０における本体カバー３１では室内側面を示すものとする。
【００３２】
この本体カバー３１は、例えばポリオキシメチレン（ＰＯＭ）等の樹脂材を成形してなるスペーサＳに着脱可能なものであり、かかるスペーサＳを介して左縦枠１３の室内側に配設される。ここで本体カバー３１と装着可能なスペーサＳは、種々の種類のものがあり、ストッパ装置３０が配設される縦枠１３，１４の縦ヒレ部１３１，１４１の長さに応じて適切なものが選択される。本実施の形態においては、スペーサＳは、見付け方向の寸法が、縦ヒレ部１３１，１４１の見付け方向の寸法よりも大きく形成されている。つまり、ストッパ装置３０は、自身が配設される縦枠１３，１４の種類に関係なく、共通のものを用いることができる。
【００３３】
ストッパ３２は、例えばポリオキシメチレン（ＰＯＭ）等の樹脂材から成形したロッド状のもので、基端部３２１における挿通孔（図示せず）を挿通するピン（軸状部）３４を介して本体カバー３１に軸支されて、該ピン３４の中心軸回りに回動可能に形成されている。このストッパ３２は、上方に向けて回動した場合に、先端部３２２が対象となる障子（外障子）２０の開閉移動経路に進出するのに十分な長さを有しており、該開閉移動経路に対して進退移動可能となるものである。ストッパ３２の先端部３２２は、基端部３２１よりも左右幅が拡大されている。そして、ストッパ３２の先端部３２２における左右の両端面には、例えばエチレン−プロピレン−ジエンゴム（ＥＰＤＭ）等から構成される緩衝材３５ａ，３５ｂが接着や圧入等によって配設されている。より詳細には、後述するようにストッパ３２が進出姿勢となる場合に閉移動する障子２０に当接可能な個所（右側面）には、緩衝材（開閉体側当接部）３５ａが配設され、同じくストッパ３２が進出姿勢となる場合に緩衝材３５ａに障子２０が当接することで開口枠１０の左縦枠１３に当接する個所（左側面）には、緩衝材（開口枠側当接部）３５ｂが配設されている。尚、本実施の形態においては、緩衝材３５ａ，３５ｂはストッパ３２の先端部３２２の左右両端面に配設されるものであったが、本発明においては、緩衝材は、ストッパ３２の先端部３２２の全体を被覆するようなものであっても構わないし、緩衝材を含む先端部を別部品としてストッパ本体に取り付けることでストッパ部材を形成するようにしても構わない。
【００３４】
また、本実施の形態においては、このような緩衝材３５ａ，３５ｂを含めたストッパ３２の先端部３２２の左右幅の寸法、すなわちストッパ３２における緩衝材３５ａの端面から緩衝材３５ｂの端面に至る見付け方向の寸法が、本体カバー３１の見付け方向の寸法以上となるように形成されている。
【００３５】
このようなストッパ３２は、本体カバー３１との間にピン３４に挿通されて設けられたコイルバネ（付勢手段）３６が介在されており、このコイルバネ３６によりピン３４の中心軸回りに上方に向けて回動するよう、すなわち障子（外障子）２０の開閉移動経路に進出移動するよう常時付勢されている。
【００３６】
また、ストッパ３２の基端部３２１には、外方に向けて突出する突部３２１ａが形成されているとともに、その内部に中空部３２１ｂ（図６等参照）が形成されている。突部３２１ａは、ストッパ３２が下方に向けて回動して下限位置に位置する退行姿勢となる場合に、本体カバー３１に形成された第１凹部３１１に進入するもので、これによりストッパ３２は、退行姿勢となる場合には、本体カバー３１に係止してコイルバネ３６の付勢力に抗してかかる姿勢を維持することができる。また、突部３２１ａは、ストッパ３２が上方に向けて回動して上限位置に位置する進出姿勢となる場合に、本体カバー３１に形成された第２凹部３１２に進入するものである。中空部３２１ｂは、ストッパ３２が退行姿勢と進出姿勢との間でピン３４の中心軸回りに回動する場合に、突部３２１ａを形成する部位が弾性変形することを許容して本体カバー３１の内壁面に突部３２１ａを摺接させるものである。
【００３７】
トリガー３３は、例えばポリオキシメチレン（ＰＯＭ）等の樹脂材を成形してなる棒状体であり、自身の中央部上面に形成された軸部３３１が本体カバー３１の挿入孔３１３に挿入されることで、該軸部３３１の中心軸回りに回動可能に設けられている。
【００３８】
このトリガー３３は、ストッパ３２がピン３４の中心軸回りに下方に向けて回動、すなわち開閉移動経路から退行移動して退行姿勢となる場合には、基端部３３２が退行移動するストッパ３２に当接されることで先端部３３３が開閉移動経路に進出した姿勢となるものである。
【００３９】
枠側受部材４０は、開口枠１０における進出姿勢となるストッパ３２と当接可能な個所に配設されて開口枠１０を構成しており、図５に示すように、外障子用のストッパ装置３０に対しては左縦枠１３に配設されている。尚、内障子用のストッパ装置３０に対しては右縦枠１４に配設されている（図３参照）。
【００４０】
この枠側受部材４０は、左縦枠１３の縦ヒレ部１３１に沿わせて取り付けられる横断面形状がクランク形状を成す金属材から構成したものである。尚、本実施の形態においては、枠側受部材４０は、横断面形状がクランク形状を成す金属材から構成されるものであったが、本発明においては、縦枠の縦ヒレ部に沿わせて取り付けられる横断面形状がＬ字状を成す金属材と、この金属材に接着した横断面形状が矩形状を成すゴム部材とで開口枠側受部材が構成されてもよい。
【００４１】
障子側受部材４１は、障子２０における進出姿勢となるストッパ３２と当接可能な個所に配設されて障子２０を構成しており、図３に示すように、戸先框（縦框）２３に配設されている。
【００４２】
この障子側受部材４１は、戸先框２３の凹部に嵌合するよう配設された樹脂製のピース部材であり、傾斜面４１１を有している。傾斜面４１１は、室内側から室外側に向かって障子２０の中心方向に向かって傾斜する部位である。尚、本実施の形態では、傾斜面４１１は、室内側から室外側に向かって障子２０の中心方向に向かって傾斜する部位であるが、本発明においては、傾斜面は、室外側から室内側に向かって障子（開閉体）の中心方向に向かって傾斜する部位であっても構わない。
【００４３】
以下においては、上記構成を有するストッパ装置３０が閉移動する障子２０の閉移動量を規制する場合について説明する。
【００４４】
まず図６の（ａ）及び（ｂ）に示すように、障子２０をある程度の移動量だけ開移動させた後に、ストッパ装置３０のストッパ３２を手動にてコイルバネ３６の付勢力に抗して退行移動させて、ストッパ３２の突部３２１ａを本体カバー３１の第１凹部３１１に進入させて該ストッパ３２を退行姿勢にさせる。このとき、トリガー３３は、基端部３３２が退行移動するストッパ３２に当接されて先端部３３３が障子２０の開閉移動経路に進出した姿勢となる。
【００４５】
次に図７の（ａ）及び（ｂ）に示すように、障子２０を閉移動させることでトリガー３３の先端部３３３が該障子２０の戸先框２３に当接されると、トリガー３３は、軸部３３１の中心軸回りに回動して基端部３３２が退行姿勢にあるストッパ３２に当接し、ストッパ３２の突部３２１ａが第１凹部３１１から離脱するまで押し出す。このようにして突部３２１ａが第１凹部３１１から離脱すると、ストッパ３２は、コイルバネ３６の付勢力が有効に作用してその付勢力により先端部３２２が障子２０の開閉移動経路に進出移動可能な作動状態となる。
【００４６】
図８の（ａ）及び（ｂ）に示すように、閉移動させた障子２０の戸先框２３が左縦枠１３に当接した全閉状態では、コイルバネ３６の付勢力により進出移動するストッパ３２の先端部３２２は、該障子２０の戸先框２３に当接して進出移動が規制された待機状態となる。
【００４７】
その後、全閉状態となる障子２０を開移動させると、該障子２０に進出移動が規制されて待機状態にあったストッパ３２は、障子２０による規制から解放されてコイルバネ３６の付勢力により進出移動して、図９の（ａ）に示すように、先端部３２２が開閉移動経路に進出した進出姿勢となる。このとき、ストッパ３２の突部３２１ａは第２凹部３１２に進入している。
【００４８】
そして、障子２０を再び閉移動させると、図９の（ｂ）に示すように、開閉移動経路に進出したストッパ３２の先端部３２２が該障子２０の戸先框２３に当接して障子２０がそれ以上閉移動することを規制することで、ストッパ装置３０が閉移動する障子２０の閉移動量を規制して、障子２０と左縦枠１３との間に隙間を確保することができる。
【００４９】
以上説明したように本実施の形態であるストッパ装置３０においては、ストッパ３２が開閉移動経路に進退移動するようピン３４の中心軸回りに回動するので、基端部３２１から先端部３２２までの長さを十分に確保することができ、見込み方向の長さが異なる種々の建具に適用することが可能になるとともに、開閉移動経路に対する進出量を十分に確保して閉移動する障子２０の戸先框２３の所定個所の見込み幅全体に当接することが可能になる。また、トリガー３３が、ストッパ３２が退行姿勢となる場合には、基端部３３２が退行移動するストッパ３２に当接されることで先端部３３３が開閉移動経路に進出した姿勢となる一方、閉移動する障子２０により先端部３３３が当接される場合には、基端部３３２が退行姿勢となるストッパ３２に当接して突部３２１ａが第１凹部３１１から離脱するまでストッパ３２を押し出すので、ストッパ３２を付勢するコイルバネ３６のみあれば足り、トリガー３３を付勢するような部材は不要であり、部品点数を削減させることが可能である。
【００５０】
従って、本実施の形態であるストッパ装置３０によれば、部品点数を削減させてコストの低減化を図るとともに、汎用性を良好なものとしながら障子２０に損傷等を与えることなく障子２０の閉移動を良好に規制することができる。
【００５１】
また、上記ストッパ装置３０によれば、ストッパ３２が退行姿勢となる場合に突部３２１ａが第１凹部３１１に進入してストッパ３２と本体カバー３１とを係止するようにしたので、ストッパ３２を手動で退行移動させる操作者は、ストッパ３２を退行姿勢にさせる際にクリック感が得られ、これによりストッパ３２が退行姿勢となったことを操作者に容易に認識させることができる。
【００５２】
更に、上記ストッパ装置３０によれば、本体カバー３１によりストッパ３２の基端部３２１やトリガー３３の軸部３１等を覆っているため、塵等が進入することを防止できる。
【００５３】
また更に、上記ストッパ装置３０によれば、次のような作用効果を奏することができる。
【００５４】
ストッパ３２の先端部３２２における左右両端面に緩衝材３５ａ，３５ｂが設けてあるので、閉移動する障子２０が緩衝材３５ａに衝突して強い衝撃力が加わったとしても、ストッパ３２を通じて３５ｂから衝撃力を開口枠１０側へと伝えることができるので、ストッパ装置３０が変形や破壊等により損傷してしまうことを抑制することができ、しかも部品点数を削減することができる。
【００５５】
本体カバー３１は、スペーサＳを介して開口枠１０に配設され、スペーサＳは、見付け方向の寸法が、縦ヒレ部１３１，１４１の見付け方向の寸法よりも大きく形成されているので、寸法や開口枠１０の納まりが異なる場合、開口枠１０の形状や縦ヒレ部１３１，１４１の見付け方向の寸法が異なるが、そのような場合においても、縦ヒレ部１３１，１４１の見付け方向の寸法よりも大きいスペーサＳを介して本体カバー３１を取り付け、かつストッパ３２は、緩衝材３５ａ，３５ｂを含む先端部３２２の左右幅寸法が本体カバー３１の見付け方向の寸法以上となるよう形成されていることで、ストッパ３２を縦ヒレ部１３１，１４１に干渉させることなく進出移動及び退行移動することができ、これによりストッパ３２及び本体カバー３１を種々の開口枠１０において共通の形状とすることが可能である。また、開口枠１０の形状や縦ヒレ部１３１，１４１の見付け方向の寸法に応じて適切なスペーサＳを用いることで、種々の開口枠１０の形状に対応するストッパ装置３０の提供が可能であり、部品点数を削減することができる。
【００５６】
枠側受部材４０を設けたことにより、閉移動する障子２０がストッパ装置３０に衝突することによる衝撃力がストッパ装置３０を介して与えられたとしても、かかる衝撃力が枠側受部材４０を通じて与えられることになるため、開口枠１０の変形等をより一層抑制することが可能である。
【００５７】
障子側受部材４１を設けたことにより、障子２０が閉移動してストッパ装置３０に衝突する場合に、障子側受部材４１を介してストッパ装置３０のストッパ３２に当接するため、開口枠１０及び障子２０の変形等をより一層抑制することが可能である。更に、障子側受部材４１には傾斜面４１１が設けてあることにより、障子２０を閉移動させて全閉状態にさせる場合に、障子２０を開口枠１０における適正位置に引き寄せることが可能になる。
【００５８】
以上本発明の好適な実施の形態について説明したが、本発明はこれに限定されるものではなく、種々の変更を行うことができる。
【００５９】
上述した実施の形態では、ストッパ３２は、コイルバネ３６により先端部３２２が開閉移動経路に進出移動するよう常時付勢されているものであったが、本発明においては、ストッパ部材が進出移動する場合には、該進出移動の途中で付勢力の作用方向を転換させて該ストッパ部材を進出移動する方向に付勢する一方、ストッパ部材が退行移動する場合には、該退行移動の途中で付勢力の作用方向を転換させて該ストッパ部材を退行移動する方向に付勢するいわゆるオーバーセンタースプリングを付勢手段として用いても良い。
【００６０】
上述した実施の形態では、例えばビル等の建物の開口部に適用されるストッパ装置３０及び建具について説明したが、本発明においては、図１０及び図１１に示すように、例えば戸建て等の住宅の開口部に適用することも可能であり、かかる場合には、ストッパ装置３０は、開口枠１０に設けられるだけでなく、開口部近傍、すなわち額縁５０等に設けるようにしても構わない。このような戸建て等の住宅の開口部に適用される場合においても、開口枠１０における進出姿勢となるストッパ３２と当接可能な個所に枠側受部材４０′が配設されている。枠側受部材４０′は、図１１に示すように、外障子用のストッパ装置３０に対しては左縦枠１３に配設されて開口枠１０を構成している。尚、枠側受部材４０′は、内障子用のストッパ装置３０に対しては右縦枠１４に配設されて開口枠１０を構成している（図１０参照）。かかる枠側受部材４０′は、横断面形状がクランク形状を成した金属材から構成している。このような枠側受部材４０′は、先端側見込み面４０１が縦枠１３，１４の縦ヒレ部１３１，１４１の端面よりも障子２０側に僅かに突出しており、かかる先端側見込み面４０１によりストッパ３２若しくは障子２０との接触面積を増大させることができ、これにより開口枠１０等の変形をより一層抑制することが可能である。
【符号の説明】
【００６１】
１０  開口枠
１３  縦枠（左縦枠）
１４  縦枠
２０  障子（開閉体）
２３  縦框（戸先框）
３０  ストッパ装置
３１  本体カバー
３１１  第１凹部
３１２  第２凹部
３２  ストッパ（ストッパ部材）
３２１  基端部
３２１ａ  突部
３２１ｂ  中空部
３２２  先端部
３３  トリガー（解除部材）
３３１  軸部
３３２  基端部
３３３  先端部
３４  ピン（軸状部）
３５ａ  緩衝材
３５ｂ  緩衝材
３６  コイルバネ
４０  枠側受部材（開口枠側受部材）
４１  障子側受部材（開閉体側受部材）
Ｓ  スペーサ
【図１】
0005732413.tif 000002
【図２】
0005732413.tif 000003
【図３】
0005732413.tif 000004
【図４】
0005732413.tif 000005
【図５】
0005732413.tif 000006
【図６】
0005732413.tif 000007
【図７】
0005732413.tif 000008
【図８】
0005732413.tif 000009
【図９】
0005732413.tif 000010
【図１０】
0005732413.tif 000011
【図１１】
0005732413.tif 000012